(57)【特許請求の範囲】
【請求項１】
表示記録媒体に画像光を照射するとともに電圧を印加して前記表示記録媒体に画像を書き込む画像書込み装置において、
押圧部材により前記表示記録媒体を押圧して前記画像光を出射する光出射面に前記表示記録媒体を密着させる密着手段と、
前記押圧部材に配置された給電端子を有し、前記表示記録媒体の前記光出射面への密着動作に並行して前記給電端子を前記表示記録媒体の媒体電極に接触させ、前記給電端子を介して前記媒体電極に前記電圧を印加する給電手段とを備えたことを特徴とする画像書込み装置。
【請求項２】
前記給電端子は、前記媒体電極への接触動作に応じて弾性変形する導電性弾性部を備えたことを特徴とする請求項１記載の画像書込み装置。
【請求項３】
前記給電端子は、一つの前記給電端子につき複数の前記導電性弾性部を有することを特徴とする請求項２記載の画像書込み装置。
【請求項４】
前記表示記録媒体は、前記光出射面に対向する位置に搬送され、
前記導電性弾性部は、前記表示記録媒体が前記位置に搬送される方向に湾曲形成されたことを特徴とする請求項２記載の画像書込み装置。
【請求項５】
前記表示記録媒体は、前記画像光が照射される側の面、あるいは前記面と反対側の面に一対の前記媒体電極を備え、
前記給電手段は、前記一対の媒体電極に接触する一対の前記給電端子を備えたことを特徴とする請求項１記載の画像書込み装置。
【請求項６】
表示記録媒体に画像光を照射するとともに電圧を印加して前記表示記録媒体に画像を書き込む画像書込み装置において、
前記表示記録媒体を所定の方向に搬送して前記画像光を出射する光出射面上に停止させる搬送手段と、
押圧部材により前記表示記録媒体を押圧して前記光出射面上に位置する前記表示記録媒体を前記光出射面に密着させる密着手段と、
前記押圧部材に配置された給電端子を有し、前記表示記録媒体の前記光出射面への密着動作に並行して給電端子を前記表示記録媒体の媒体電極に接触させ、前記給電端子を介して前記媒体電極に前記電圧を印加する給電手段と、
前記光出射面上に位置する前記表示記録媒体に前記画像が書き込まれた後、前記搬送手段を制御して前記表示記録媒体を前記所定の方向に搬送して排出させる制御手段とを備えたことを特徴とする画像書込み装置。
【発明の詳細な説明】
【技術分野】
【０００１】
本発明は、画像の書換えが可能な表示記録媒体に画像光を照射するとともに電圧を印加して表示記録媒体に画像を書き込む画像書込み装置に関し、特に、表示記録媒体への画像の書込み動作を高速に行うことができ、媒体電極および給電端子に損傷を与えないようにして長寿命化を図り、電極・端子間で位置ずれが生じても、確実に電極・端子間の接触を確保することができる画像書込み装置に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込み装置により、書込みのエネルギーを与えるだけで良く、表示を維持するためのエネルギーの印加は不要である。従って、情報の書込み後に書込み装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込み型表示記録媒体、およびこの表示記録媒体に画像を書き込む画像書込み装置が知られている（例えば、特許文献１参照）。
【０００５】
この特許文献１に記載された表示記録媒体は、一対の透明電極間に、液晶からなる表示層と、光の照射によって抵抗値が変化する光導電層とが積層されたものである。また、その表示記録媒体に画像を書き込む画像記録装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に電圧を印加して、光導電層の抵抗分布に基づく分圧分布を表示層に印加し、分圧分布に応じた画像を表示層に記録するものである。
【０００６】
この光書込み型の表示記録媒体の画像書込み装置によれば、上下の電極全体に電圧を印加しながら画像情報を面状に露光することで印字が可能なため、ライン露光や走査露光などに比べ、大容量の画像情報を高速に書き込むことが可能となる。
【０００７】
実際に表示記録媒体に画像情報を高速印字するためには、光書込み型表示記録媒体への電圧印加と光照射を迅速かつ正確に行う必要がある。また、繰り返し画像の書き換えを行う中で、電極の接続を確実に行いながら、光書込み型表示記録媒体及び画像書込み装置の電極部に物理的な損傷を極力与えない方法で行う必要がある。
【特許文献１】特開２００１−３０１２３３号公報
【発明の開示】
【発明が解決しようとする課題】
【０００８】
しかし、従来の画像書込み装置によると、２次元的な光パターンを２次元マイクロレンズアレイを介して表示記録媒体の光導電層に結像するように照射しているので、２次元マイクロレンズの位置決め精度によっては表示記録媒体に書き込まれた画像にぼけを生じる場合があり、また、部品点数も増え、構成が複雑化するという問題がある。
【０００９】
そこで、画像光の出射面に表示記録媒体を密着させた後、表示記録媒体の媒体電極と給電端子とを接触させて給電端子を介して媒体電極に給電する画像書込み装置が、本出願人より提案されている（特願２００２−２７６０９４号）。
【００１０】
しかし、この画像書込み装置によると、電極の接続をとる動作と表示記録媒体の露光面への密着及び光照射を連続する別動作として行っているため、画像書込み動作時間の短縮に限界が生じる。また、電極部の接続時に着脱に起因する電極表面のけずれ、へこみなどの物理的な損傷を受けやすいという問題も生じる。さらに表示記録媒体の作製条件のばらつきにより、画像書込み装置側の給電端子との位置ずれが生じた場合、接触が不確実で正常に電圧が印加されないといった問題も生じる。
【００１１】
また、従来の画像書込み装置によると、表示記録媒体を挿入口から入れて書込みを行った後、排出を挿入口から行った場合、コンパクト化および設置スペースの削減を図ることができるが、複数の表示記録媒体に連続的に搬送して書込みを行おうとすると、構成が複雑化し、高速化の妨げになるという問題がある。
【００１２】
従って、本発明の目的は、表示記録媒体への画像の書込み動作を高速に行うことができる画像書込み装置を提供することにある。
【００１３】
また、本発明の他の目的は、媒体電極および給電端子に損傷を与えないようにして長寿命化を図り、電極・端子間で位置ずれが生じても、確実に電極・端子間の接触を確保することができる画像書込み装置を提供することにある。
【課題を解決するための手段】
【００１４】
第１の発明は、上記目的を達成するため、表示記録媒体に画像光を照射するとともに電圧を印加して前記表示記録媒体に画像を書き込む画像書込み装置において、押圧部材により前記表示記録媒体を押圧して前記画像光を出射する光出射面に前記表示記録媒体を密着させる密着手段と、前記押圧部材に配置された給電端子を有し、前記表示記録媒体の前記光出射面への密着動作に並行して前記給電端子を前記表示記録媒体の媒体電極に接触させ、前記給電端子を介して前記媒体電極に前記電圧を印加する給電手段とを備えたことを特徴とする画像書込み装置を提供する。
【００１５】
前記給電端子は、前記媒体電極への接触動作に応じて弾性変形する導電性弾性部を備えた構成としてもよく、また、前記給電端子は、一つの前記給電端子につき複数の前記導電性弾性部を有する構成としてもよい。
【００１６】
第２の発明は、上記目的を達成するため、表示記録媒体に画像光を照射するとともに電圧を印加して前記表示記録媒体に画像を書き込む画像書込み装置において、前記表示記録媒体を所定の方向に搬送して前記画像光を出射する光出射面上に停止させる搬送手段と、押圧部材により前記表示記録媒体を押圧して前記光出射面上に位置する前記表示記録媒体を前記光出射面に密着させる密着手段と、前記押圧部材に配置された給電端子を有し、前記表示記録媒体の前記光出射面への密着動作に並行して給電端子を前記表示記録媒体の媒体電極に接触させ、前記給電端子を介して前記媒体電極に前記電圧を印加する給電手段と、前記光出射面上に位置する前記表示記録媒体に前記画像が書き込まれた後、前記搬送手段を制御して前記表示記録媒体を前記所定の方向に搬送して排出させる制御手段とを備えたことを特徴とする画像書込み装置を提供する。
【００１７】
第３の発明は、上記目的を達成するため、書込み位置に搬送された表示記録媒体に画像光を照射するとともに電圧を印加して前記表示記録媒体に画像を書き込む書込み手段と、前記表示記録媒体を所定の方向に搬送して前記書込み位置に停止させ、前記書込み手段によって前記画像が書き込まれた前記表示記録媒体を前記所定の方向に搬送する搬送手段とを備えたことを特徴とする画像書込み装置を提供する。
【発明の効果】
【００１８】
第１および第２の発明の画像書込み装置によれば、表示記録媒体と光出射面の密着動作と表示記録媒体の媒体電極と給電端子の接触動作を並行して行っているので、表示記録媒体への画像の書込み動作を高速に行うことができる。
【００１９】
また、給電端子が媒体電極に接触して弾性変形する導電性弾性部を備えることにより、媒体電極と給電端子との接触部分に傷が付き難くなり、長寿命化が図れる。更に、一つの給電端子が複数の導電性弾性部を備えることにより、表示記録媒体の媒体電極と給電端子との間で位置ずれが生じても、確実に電極・端子間の接触を確保することができる。
【００２０】
また、画像が書き込まれた表示記録媒体を光出射面に搬送した方向と同じ方向に搬送して排出することにより、上記密着動作に並行して行われる上記接触動作と相侯って複数の表示記録媒体に画像を書き込む場合、画像の書込み動作をより高速化することができる。
【００２１】
第３の発明の画像書込み装置によれば、表示記録媒体を所定の方向に搬送して画像の書込みが終わった後、所定の方向と同一の方向に搬送しているので、表示記録媒体への画像の書込み動作を高速に行うことができる。
【発明を実施するための最良の形態】
【００２２】
図１は、本発明の第１の実施の形態に係る画像形成装置を示す。この画像形成装置は、書換え可能な表示記録媒体１００と、下部筐体１１と上部筐体１２との間の空間内に前方の挿入口１３ａから挿入された表示記録媒体１００に画像を書き込んで後方の排出口から排出する画像書込み装置１０とから構成されている。
【００２３】
表示記録媒体１００は、薄型矩形状を有し、裏面１００ｂ側からの書込みパターン光の照射と電圧印加によって書き込まれた画像を裏面１００ｂ側に表示する画像表示記録領域１１０と、画像書込みの際に電圧が印加される一対の媒体電極としての受電部１４８Ａ，１４８Ｂとを備える。また、表示記録媒体１００は、表面１００ａの一方の長辺近傍と裏面１００ｂの一方の短辺近傍に、それぞれ光反射率の低い色（例えば黒色）によって形成された挿入方向識別帯１２０Ａ，１２０Ｂを有している。なお、画像表示記録領域１１０と挿入方向識別帯１２０Ａ，１２０Ｂ以外の表面１００ａおよび裏面１００ｂの周辺近傍は、光反射率の高い色、例えば、白色を呈している。
【００２４】
下部筐体１１は、その上面に、表示記録媒体１００の長辺よりも若干広い間隔で配置され、表示記録媒体１００を案内するガイド１４Ａ，１４Ｂと、表示記録媒体１００に書き込む画像の濃度等の画像書込み条件を設定する操作部１５と、表示記録媒体１００のセット異常等のメッセージをＬＣＤ（液晶表示器：Liquid Crystal Display）により表示するメッセージ表示部１６とを備える。
【００２５】
上部筐体１２は、表示記録媒体１００のジャム等の異常時あるいはメンテナンス時のために、図示しないヒンジにより上方に開閉可能に設けられ、上部筐体１２を上方に開けたとき、メッセージ表示部１６の蓋を開けることにより、その表示内容が見えるようになっている。
【００２６】
図２は、下部筐体１１の平面図、図３（ａ）は、図２のＡ−Ａ線断面図、図３（ｂ）は、図２のＢ−Ｂ線断面図、図３（ｃ）は、図２のＣ−Ｃ線断面図である。なお、図２中、上部筐体１２を想像線で示す。
【００２７】
下部筐体１１は、挿入口１３ａからセット位置に挿入された表示記録媒体１００を搬送する媒体搬送部７と、下部筐体１１と上部筐体１２との間の空間１３ｂ内に搬送され、画像書込み位置に位置する表示記録媒体１００をＬＣＤパネル９１に押し付ける媒体押付け部８と、ＬＣＤパネル９１の光出射面９１ａに押し付けられた表示記録媒体１００に画像を書き込む書込み部９とを備える。また、下部筐体１１の上面には、後述する給電端子８３Ａ，８３Ｂを逃げるための逃げ穴１１ｃが形成されている。これにより、表示記録媒体１００が画像書込み位置に存在しないとき、誤動作により押圧板８０が下降しても給電端子８３Ａ，８３Ｂが破損するのを防ぐことができる。
【００２８】
媒体搬送部７は、図２、図３（ａ），（ｂ）に示すように、下部筐体１１の左右一対のガイド１４Ａ，１４Ｂの近傍に形成された開口１１ａから僅かに上方に突出するように配置され、挿入口１３ａから挿入された表示記録媒体１００を搬送方向Ｘに搬送する複数の搬送ローラ７０Ａ〜７０Ｄと、これらの搬送ローラ７０Ａ〜７０Ｄを回転駆動する図示しない搬送モータと、下部筐体１１に形成された開口１１ｂから出没可能に設けられたストッパ７１Ａ，７１Ｂと、表示記録媒体１００を画像書込み位置に停止させるとき、ストッパ７１Ａ，７１Ｂを回動させて開口１１ｂから突出させる図示しない駆動モータとを備える。ここで、「セット位置」とは、表示記録媒体１００の光反射率が検出される位置をいうものとする。
【００２９】
媒体押付け部８は、図３（ｂ），（ｃ）に示すように、上部筐体１２の中央に形成された開口１２ａから出没可能に設けられ、表示記録媒体１００を下方に押圧する押圧板８０と、押圧板８０を下方へ押し下げて表示記録媒体ｌ００をＬＣＤパネル９１の光出射面９１ａに密着させる電磁ソレノイド８１と、押圧板８０に端子取付部８２によって取り付けられた一対の給電端子８３Ａ，８３Ｂとを備える。
【００３０】
書込み部９は、図２、図３（ｂ）に示すように、表示記録媒体１００の画像表示記録領域１１０と同等の大きさを有し、画像の書込みパターン光を画像表示記録領域１１０に照射するＬＣＤパネル９１と、ＬＣＤパネル９１の背面からバックライト光を照射するバックライト９０とを備える。
【００３１】
上部筐体１２には、図２に示すように、挿入口１３ａの中心の両側に、表示記録媒体１００の光反射率を検出する誤差しセンサ１７Ａおよび誤差し／給紙センサ１７Ｂが設けられている。この誤差し／給紙センサ１７Ｂは、表示記録媒体１００の給紙を検出する機能も兼ねている。下部筐体１１には、図２に示すように、表示記録媒体１００が画像書込み位置に停止したことを検出する媒体停止センサ１７Ｃと、表示記録媒体１００の後端を検出することにより表示記録媒体１００が排出口１３ｃから排出されたことを検知する排出終了センサ１７Ｄが設けられている。
【００３２】
誤差しセンサ１７Ａ、誤差し／給紙センサ１７Ｂ、媒体停止センサ１７Ｃおよび排出終了センサ１７Ｄは、それぞれ表示記録媒体１００に光を照射する発光素子と、表示記録媒体１００で反射した光を受光する受光素子とを備える。
【００３３】
図４は、表示記録媒体１００の層構造を示す模式図である。この表示記録媒体１００は、対向配置されたＰＥＴ（ポリエチレンテレフタレート）フィルムからなる一対の基板１４０Ａ，１４０Ｂと、一対の基板１４０Ａ，１４０Ｂの内側に設けられたＩＴＯ（酸化インジウム錫）からなる一対の透明電極１４１Ａ，１４１Ｂと、裏面１００ｂ側の透明電極１４１Ｂの内側に設けられ、印加電圧に応じて反射率（透過率）が変化するコレステリック液晶からなる表示層１４２と、表示層１４２の上側に隔離層１４３を介して設けられ、書込みパターン光９２の照射によって抵抗値が小さくなるように、２つの電荷発生層１４４ａ間に電荷輸送層１４４ｂを配置して形成された光導電層１４４と、光導電層１４４の上側に設けられた光吸収層１４５と、基板１４０Ａに所定間隔に形成された開口１４６ａ，１４６ｂと、一端が開口１４６ａの裏面を塞ぎ他端が透明電極１４１Ｂに接続された延在部１４７とを備える。開口１４６ａ，１４６ｂは、画像表示記録領域１１０の外側に設けられ、開口１４６ａ，１４６ｂに露出する電極面が受電部１４８Ａ，１４８Ｂとなる。
【００３４】
図５は、給電端子８３Ａ，８３Ｂを示し、同図（ａ）は、受電部１４８Ａ，１４８Ｂに接触した状態の給電端子８３Ａ，８３Ｂの断面図、同図（ｂ）は、表示記録媒体１００側から見た図図、同図（ｃ）は、表示記録媒体１００が正規の画像書込み位置に搬送された場合を示す図、同図（ｄ），（ｅ）は、表示記録媒体１００が搬送方向Ｘに垂直な方向Ｙにずれた場合を示す図である。給電端子８３Ａ，８３Ｂは、リン青銅，ベリリウム銅等の銅合金やステンレス鋼等の導電性を有するばね材料からなり、先端が搬送方向Ｘに沿って湾曲した形状を有するとともに、複数に分かれた導電性弾性部としてのフォーク部８４を有している。給電端子８３Ａ，８３Ｂは、先端が複数に分かれたフォーク部８４を有しているので、表示記録媒体１００が搬送方向Ｘから垂直な方向Ｙにずれても、図５（ｄ），（ｅ）に示すように、フォーク部８４と受電部１４８Ａ，１４８Ｂとの接触を確保することができる。図５中、８５は、フォーク部８４と受電部１４８Ａ，１４８Ｂとの接点部である。
【００３５】
図６は、画像書込み装置１０の制御系を示す。この画像書込み装置１０は、この装置１０全体を制御する制御部２０を有し、この制御部２０に、前述したメッセージ表示部、誤差しセンサ１７Ａ、誤差し／給紙センサ１７Ｂ、媒体停止センサ１７Ｃ、排出終了センサ１７Ｄ、媒体搬送部７および媒体押付け部８を接続している。また、この制御部２０には、表示記録媒体１００の向きが正しいか否かを判別する媒体向き判別部２１と、表示記録媒体１００に書き込むべき画像データを記憶する画像データ記憶部２２と、ＬＣＤパネル９１に画像データに応じた駆動信号を供給するＬＣＤパネル駆動部２３と、バックライト９０を点灯するバックライト点灯部２４と、画像書込み位置に位置する表示記録媒体１００に一対の給電端子８３Ａ，８３Ｂからパルス電圧を印加するパルス電源部２５と、ＬＡＮ（Local Area Network）等のネットワークに接続された通信インターフェース（Ｉ／Ｆ）２６とが接続されている。
【００３６】
次に、この第１の実施の形態の動作を説明する。表示記録媒体１００を挿入口１３ａからセット位置に挿入すると、誤差しセンサ１７Ａおよび誤差し／給紙センサ１７Ｂの発光素子が発光する光が表示記録媒体１００の表面１００ａで反射し、受光素子がその反射光を受光して光反射率に応じた電圧の検出信号を制御部２０に送信する。媒体向き判別部２１は、誤差しセンサ１７Ａおよび誤差し／給紙センサ１７Ｂからの検出信号に基づいて表示記録媒体ｌ００の向きを判別する。
【００３７】
表示記録媒体１００が、図１に示すように正しい向き（表面１００ａが表、横向き）で挿入された場合は、誤差しセンサ１７Ａおよび誤差し／給紙センサ１７Ｂがともに高い光反射率、すなわち白を検出しているので、媒体向き判別部２１は表示記録媒体１００のセットがメモリの記憶内容から正しいと判別し、制御部２０は表示記録媒体ｌ００を所定の書込み位置まで搬送し、固定後、表示記録媒体ｌ００への画像の書込みを行う。それ以外の場合は、少なくとも一方のセンサ１７Ａ，１７Ｂが挿入方向識別帯１２０Ａ，１２０Ｂから低光反射率、すなわち黒を検出しているので、媒体向き判別部２１は、メモリの記憶内容からセット異常と判別する。媒体向き判別部１１がセット異常と判断し、制御部２０はメッセージ表示部１６にセット異常が発生した旨、および再度挿入を促す旨のメッセージを表示するとともに、表示記録媒体１００の搬送は行わない。
【００３８】
正しい向きで表示記録媒体１００が挿入されると、制御部２０は、誤差し／給紙センサ１７Ｂにより表示記録媒体１００が挿入されたことを検出し、媒体搬送部７の図示しない搬送モータを駆動して表示記録媒体１００を搬送する。表示記録媒体１００がセット位置から搬送されて先端がストッパ７１Ａ，７１Ｂに当接して画像書込み位置に達するとともに、媒体停止センサ１７Ｃが表示記録媒体１００を検出すると、制御部２０は搬送モータの駆動を停止し、表示記録媒体１００の搬送を停止する。
【００３９】
制御部２０は、媒体押付け部８の電磁ソレノイド８１を駆動して押圧板８０を押し下げ、表示記録媒体１００の裏面１００ｂをＬＣＤパネル９１の光出射面９１ａに密着させる。この押圧板８０によって表示記録媒体１００を押圧するとき、一対の給電端子８３Ａ，８３Ｂも表示記録媒体１００の受電部１４８Ａ，１４８Ｂに接触する。
【００４０】
ここで、給電端子８３Ａ，８３Ｂの接触動作について図５（ａ）を参照して説明する。押圧板８０による表示記録媒体１００の押圧動作を開始する前は、端子取付部８２は同図中ａで示す位置にあり、給電端子８３Ａ，８３Ｂは表示記録媒体１００から離間している。押圧動作を開始すると、給電端子８３Ａ，８３Ｂが同図中ｂで示す位置に達して給電端子８３Ａ，８３Ｂが表示記録媒体１００の受電部１４８Ａ，１４８Ｂに接触し、押圧動作が完了すると、給電端子８３Ａ，８３Ｂが同図中ｃで示す位置に達して給電端子８３Ａ，８３Ｂが弾性変形する。
【００４１】
表示記録媒体１００がＬＣＤパネル９１に密着し、給電端子８３Ａ，８３Ｂが弾性変形して受電部１４８Ａ，１４８Ｂに接触している状態で、制御部２０は、ＬＣＤパネル駆動部２３、パルス電源部２５およびバックライト点灯部２４を駆動して表示記録媒体１００への画像書込み動作を行う。
【００４２】
すなわち、制御部２０は、バックライト点灯部２４によりバックライト９０からバックライト光をＬＣＤパネル９１に照射させ、パルス電源部２５から給電端子８３Ａ，８３Ｂを介して表示記録媒体１００の透明電極１４１Ａ，１４１Ｂ間にパルス電圧を印加させるとともに、ＬＣＤパネル駆動部２３から画像データ記憶部２２に記憶されている画像データに基づく駆動信号をＬＣＤパネル９１に出力させる。ＬＣＤパネル９１は、駆動信号に基づいて書込みパターン光９２を表示記録媒体１００の裏面１００ｂから画像表示記録領域１１０に照射する。
【００４３】
書込みパターン光９２は、表示記録媒体１００の裏面１００ｂ側の基板１４０Ｂ、透明電極１４１Ｂ、表示層１４２および隔離層１４３を通って光導電層１４４を照射する。光導電層１４４は、書込みパターン光９２が照射されると抵抗値が小さくなり、それにより、光導電層１４４とのインピーダンス比で決まる表示層１４２の分圧が増加し、一定以上の閾値を越えた電圧が印加された後に、表示層１４２における光反射率が大きい状態で保持される。従って、画像表示記録領域１１０を裏面１００ｂの側から見た場合、書込みパターン光９２が照射された領域は表示層１４２で反射して白く見える。逆に、書込みパターン光９２が照射されていない領域は、表示層１４２を通過して光吸収層１４５で吸収されるため、黒く見える。なお、表示記録媒体１００に書き込むべき画像データは、外部装置から通信Ｉ／Ｆ２６を介して取り込んでもよい。
【００４４】
画像の書込みが終了すると、制御部２０は、媒体押付け部８を制御して押圧板８０を元の位置に退避させ、媒体搬送部７の駆動モータを駆動してストッパ７１を倒し、搬送モータを駆動して表示記録媒体１００を排出口１３ｃから後方に排出する。
【００４５】
この第１の実施の形態によれば、以下の効果が得られる。
（イ）表示記録媒体１００と光出射面９１ａの密着動作と表示記録媒体１００の受電部１４８Ａ，１４８Ｂと給電端子８３Ａ，８３Ｂの接触動作を並行して行っているので、表示記録媒体１００への画像の書込み動作を高速に行うことができる。
（ロ）画像が書き込まれた表示記録媒体１００を画像書込み位置に搬送した方向と同じ方向に搬送して排出しているので、複数の表示記録媒体に画像を書き込む場合、上記光出射面９１ａへの密着動作に並行して行われる上記給電端子８３Ａ，８３Ｂの接触動作と相侯って画像の書込み動作をより高速化することができる。
（ハ）給電端子８３Ａ，８３Ｂが受電部１４８Ａ，１４８Ｂに弾性変形して接触する複数のフォーク部８４を有しているので、受電部１４８Ａ，１４８Ｂと給電端子８３Ａ，８３Ｂとの接触部分に傷が付き難くなり、長寿命化が図れる。また、表示記録媒体１００が搬送方向Ｘに垂直な方向Ｙにずれても、確実に受電部１４８Ａ，１４８Ｂと給電端子８３Ａ，８３Ｂとの間の接触を確保することができる。
（ニ）表示記録媒体１００の表面１００ａおよび裏面１００ｂの偏心した位置に挿入方向識別領域１２０Ａ，１２０Ｂを設けているので、表示記録媒体１００の様々なセットミスを検知することができる。
（ホ）書込みパターン光９２による面一括照射により画像データの書換えを高速に行うことができる。
【００４６】
なお、上記実施の形態では、給電端子８３Ａ，８３Ｂの複数の接点部８５が搬送方向Ｘに垂直な方向Ｙに並ぶようにしたが、搬送方向Ｘに並ぶように給電端子を形成してもよい。これにより、表示記録媒体１００の停止位置が搬送方向Ｘにずれても確実に電極・端子間の接触を確保することができる。また、複数の接触部８５が両方向Ｘ，Ｙに並ぶように給電端子を形成してもよい。これにより、表示記録媒体１００の停止位置が両方向Ｘ，Ｙにずれても確実に電極・端子間の接触を確保することができる。
【００４７】
また、上記実施の形態では、画像書込み後、表示記録媒体を排出口から排出したが、挿入口から排出してもよい。これにより、固定型の給電端子を用いることができる。
【００４８】
［第２の実施の形態］
図７は、本発明の第２の実施の形態に係る画像書込み装置を示す。この画像書込み装置１０は、下部筐体１１と、下部筐体１１の前段に設けられ、書込み前の複数の表示記録媒体１００を収納する媒体収納部としての媒体ストッカ３１と、下部筐体１１の後段に設けられ、書込みの済んだ表示記録媒体１００の排出路を形成するとともに表示記録媒体１００を一時的に保管する排出部３２とを備えたものである。
【００４９】
また、この画像書込み装置１０は、上部筐体１２に書込み部９、パルス電源部２５および給電端子８３Ａ，８３Ｂを配置し、その他の構成は、第１の実施の形態と同様である。      
【００５０】
この画像書込み装置１０の書込み対象の表示記録媒体１００は、受電部１４８Ａ，１４８Ｂを画像表示記録領域１１０が形成された裏面１００ｂに設けられている点が第１の実施の形態とは異なる。
【００５１】
また、この画像書込み装置１０は、媒体ストッカ３１に、ベルト３３と、このベルト３３の一端を支持するとともにベルト３３を回転駆動する駆動ローラ３４と、ベルト３３の他端を支持する従動ローラ３５とを配置し、下部筐体１１に、媒体ストッカ３１から供給された表示記録媒体１００を定位置にセットするとともに、書込みの済んだ表示記録媒体１００を排出部３２へ排出する搬送ローラ７０Ａ，７０Ｂを配置し、上部筐体１２に、搬送ローラ７０Ａ，７０Ｂに対向配置され、書込み部９の対向位置に搬入された表示記録媒体１００をスプリング３６Ａ，３６Ｂにより押圧する押圧ローラ３７Ａ，３７Ｂを配置し、排出部３２に、書込み位置からの表示記録媒体１００を機外方向へ搬送する搬送ローラ３８を配置している。
【００５２】
図８は、表示記録媒体の受電部に接続される給電端子の構成を示す。同図中、（ａ）は、表示記録媒体と給電端子の位置関係を示し、（ｂ）は、（ａ）のＤ−Ｄ線断面における受電部と給電端子の接続状態を示す。表示記録媒体１００は、受電部１４８Ａ，１４８Ｂが搬送方向Ｘに沿う辺まで露出するように形成されている。給電端子８３Ａ，８３Ｂは、搬送方向Ｘに垂直な方向Ｙに移動して受電部１４８Ａ，１４８Ｂに接触できるように配置されている。また、給電端子８３Ａ，８３Ｂは、リン青銅，ベリリウム銅等の銅合金やステンレス鋼等の導電性を有するばね材料を用いて形成され、図８（ｂ）に示すように、先端部に逆「ヘ」の字形の曲げ加工が施されており、その膨出面による接点部８５が表示記録媒体１００の受電部１４８Ａ，１４８Ｂに接触できるように構成されている。
【００５３】
図９は、表示記録媒体の受電部に接続される給電端子の他の構成を示す。同図中、（ａ）は、図８の（ａ）のＤ−Ｄ線断面に対応する受電部と給電端子の接続状態を示し、（ｂ）は、給電端子８３Ｂの平面図を示す。なお、給電端子８３Ｂについてのみ図示しているが、給電端子８３Ａも同じ構成である。
【００５４】
図９の（ａ）の給電端子８３Ｂは、透明電極１４１Ａに接触する導電性のローラ８６ａと、このローラ８６ａを回転自在に支持するとともにパルス電源部２５からの出力電圧が印加される支持アーム８６ｂとを備え、図示しないモータ等により、図示の矢印Ｆ方向（搬送方向に垂直な方向）に前後進できるように駆動される。また、支持アーム８６ｂの先端には、ローラ８６ａが抜け落ちないように、鍔部が設けられている。支持アーム８６ｂは、ローラ８６ａを所定の弾性力で透明電極１４１Ａに押圧できる弾性力と導電性を備えた材料、例えば、リン青銅，ベリリウム銅等の銅合金やステンレス鋼等の導電性を有する材料を用いることができる。
【００５５】
次に、第２の実施の形態の動作を説明する。媒体ストッカ３１には、複数の表示記録媒体１００が、画像表示記録領域１１０（裏面１００ｂ）を上面にし、かつ、受電部１４８Ａ，１４８Ｂの向きが同じになるようにして重ねて収納される。ユーザが操作部１５を操作して書込みの開始を指示すると、制御部２０は、駆動ローラ３４および搬送ローラ７０Ａ，７０Ｂを駆動する。駆動ローラ３４の回転により、ベルト３３が回転し、媒体ストッカ３１内の最下段の１枚の表示記録媒体１００が、図７のＧ方向へ排出される。押し出された表示記録媒体１００は、搬送ローラ７０Ａと押圧ローラ３７Ａにニップされ、更に、搬送ローラ７０Ｂと押圧ローラ３７Ｂにニップされて書込み部９の真下へ搬送される。
【００５６】
表示記録媒体１００が定位置に到達すると、誤差し／給紙センサ１７Ｂが検出信号を発生する。これを受けて、制御部２０は、ＬＣＤパネル駆動部２３、パルス電源部２５およびバックライト点灯部２４を駆動し、給電端子８３Ａ，８３Ｂに所定の電圧を印加するとともに、画像データ記憶部２２から読み出した画像データをＬＣＤパネル駆動部２３に表示させ、表示記録媒体１００への画像データの書込みを実行する。表示記録媒体１００への書込みが終了すると、制御部２０は、ストッパ７１Ａを駆動して実線で示す垂直位置から点線で示す水平位置にし、更に、搬送ローラ７０Ａ，７０Ｂ，３８を駆動し、表示記録媒体１００を排出部３２へ搬送する。排出終了センサ１７Ｄが表示記録媒体１００の排出終了を検出すると、制御部２０は、搬送ローラ７０Ａ，７０Ｂの駆動を停止する。
【００５７】
制御部２０は、排出終了センサ１７Ｄの検出信号を受信すると、上述したように２枚目以降の表示記録媒体１００の搬送、書込み、排出を最後の表示記録媒体１００になるまで実施する。
【００５８】
この第２の実施の形態によれば、第１の実施の形態により得られる効果のほか、一括して媒体ストッカ３１にセットした複数の表示記録媒体１００が順次連続的に書込み部９に搬送され、書込みおよび排出が連続的に行われるため、表示記録媒体１００が複数であっても、高速に画像の書込みを行うことができる。更に、給電端子８３Ａ，８３Ｂを図８の構成にした場合、表示記録媒体１００の側方から給電端子８３Ａ，８３Ｂを受電部１４８Ａ，１４８Ｂに接触させることができ、また、給電端子８３Ａ，８３Ｂを図９の構成にした場合、給電端子８３Ａ，８３Ｂのローラ８６ａが転動して受電部１４８Ａ，１４８Ｂに接触させることができるため、受電部１４８Ａ，１４８Ｂおよび給電端子８３Ａ，８３Ｂの損傷を少なくすることができる。
【００５９】
［第３の実施の形態］
図１０は、本発明の第３の実施の形態に係る画像書込み装置を示す。本実施の形態は、第２の実施の形態において、書込み部９、パルス電源部２５および給電端子８３Ａ，８３Ｂを下部筐体１１に配置し、媒体ストッカ３１に表面１００ａを上面にして複数の表示記録媒体１００を収容し、書込み位置に搬入された表示記録媒体１００を下側から画像を書き込むようにしたものであり、他の構成は、第２の実施の形態と同じである。この構成によれば、第１の実施の形態と同様に、表示記録媒体１００に対する画像書込み方向と画像を見る方向とが同じなので、表面１００ａを媒体挿入方向を示す印刷面やデザインを施す面等に利用することができる。
【００６０】
［第４の実施の形態］
図１１は、本発明の第４の実施の形態に係る表示記録媒体の層構造を示す。この表示記録媒体１００は、図４の表示記録媒体１００において、表示層１４２と光導電層１４４の配置を入れ替えるとともに光吸収層１４５を表示層１４２と光導電層１４４との間に設け、更に隔離層１４３を除去した構成としている。その他の構成は、図４の表示記録媒体１００と同じである。
【００６１】
図１１の表示記録媒体１００は、図４の表示記録媒体１００と同様の原理で書込みが行われる。ただし、書込みは、書込みパターン光９２が基板１４０Ｂおよび透明電極１４１Ｂを通して光導電層１４４に照射されることにより行われ、見る方向は、書込みパターン光９２の照射方向とは逆の表面１００ａ側（Ｅの方向）になる。この表示記録媒体１００を第１の実施の形態の画像書込み装置１に用いることにより、書込みパターン光９２の照射方向と、書込み後の画像を見る方向とが逆であるため、ユーザは、書込み部９から排出された表示記録媒体１００を裏返しにすることなく、表示記録媒体１００の上面（表面１００ａ）をＥ方向から見れば、直ちに画像内容を確認することができる。
【００６２】
［他の実施の形態］
なお、本発明は、上記各実施の形態に限定されず、その要旨を変更しない範囲内で種々な変形が可能であり、各実施の形態間の構成要素の組合せは任意に行うことができる。例えば、第１の実施の形態を、第２および第３の実施の形態の様に、媒体ストッカや排出部を付加して表示記録媒体の搬送、書込み、排出を連続して行えるようにしてもよい。また、図８に示す給電端子を図５に示すようにフォーク部を有する構成としてもよい。また、図７に示す構成において、給電端子およびパルス電源部を下部筐体側に配置してもよい。
【００６３】
また、受電部を表示記録媒体の側端面に設け、その側端面に垂直な方向から給電端子を接触させてもよい。
【００６４】
また、ＬＣＤパネル９１に代えて、ＥＬ（エレクトロルミネッセンス）ディスプレイ、ＰＤＰ（プラズマディスプレイ）、ＶＦＤ（蛍光表示管ディスプレイ）、ＦＥＤ（電界放出ディスプレイ）等のフラットディスプレイや、ＣＲＴディスプレイを用いてもよい。さらに、プロジェクタから画像光を投影してもよく、フラットディスプレイ、ＣＲＴディスプレイ等の表示装置と結像光学系とを組み合わせた投影装置によって画像を書き込んでもよい。
【００６５】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示記録媒体を用いてもよい。
【００６６】
また、表示記録媒体の搬送方向は上記水平方向に限定されず、斜方向、鉛直方向であってもよい。重力成分が作用する斜方向や鉛直方向に表示記録媒体を搬送することにより、搬送モータ等の駆動力を小さくすることができ、搬送ローラ等の搬送部材を省略することが可能となる。
【００６７】
また、表示記録媒体は、幅方向よりも搬送方向に長い形状を有し、画像表示記録領域も搬送方向に長い形状とするか、搬送方向に複数の画像表示記録領域を形成し、複数回に分けて画像を書き込んでもよい。
【図面の簡単な説明】
【００６８】
【図１】本発明の第１の実施の形態に係る画像形成装置の斜視図である。
【図２】本発明の第１の実施の形態に係る画像形成装置の下部筐体の平面図である。
【図３】（ａ）は、図２におけるＡ−Ａ線断面図、（ｂ）は、図２におけるＢ−Ｂ線断面図、（ｃ）は、図２におけるＣ−Ｃ線断面図である。
【図４】本発明の第１の実施の形態に係る表示記録媒体の層構造を示す模式図である。
【図５】本発明の第１の実施の形態に係る給電端子を示し、（ａ）は、受電部に接触した状態の給電端子の断面図、（ｂ）は、表示記録媒体側から見た給電端子を示す図、（ｃ）は、表示記録媒体が正規の位置に搬送された場合を示す図、（ｄ），（ｅ）は、表示記録媒体が搬送方向Ｘに垂直な方向Ｙにずれた場合を示す図である。
【図６】本発明の第１の実施の形態に係る画像書込み装置の制御系を示すブロック図である。
【図７】本発明の第２の実施の形態に係る画像書込み装置を示す正面断面図である。
【図８】本発明の第２の実施の形態に係る表示記録媒体の受電部に接続される給電端子の構成を示し、（ａ）は、表示記録媒体と給電端子の位置関係を示す図、（ｂ）は、（ａ）のＤ−Ｄ線断面における受電部と給電端子の接続状態を示す図である。
【図９】本発明の第２の実施の形態に係る表示記録媒体の受電部に接続される給電端子の他の構成を示し、（ａ）は、図８の（ａ）のＤ−Ｄ線断面に対応する受電部と給電端子の接続状態を示す図、（ｂ）は、給電端子の平面図である。
【図１０】本発明の第３の実施の形態に係る画像書込み装置を示す正面断面図である。
【図１１】本発明の第４の実施の形態に係る表示記録媒体の層構造を示す模式図である。
【符号の説明】
【００６９】
７  媒体搬送部
８  媒体押付け部
１０  画像書込み装置
１１  下部筐体
１１ａ，１１ｂ  開口
１１ｃ  穴
１２  上部筐体
１２ａ  開口
１３ａ  挿入口
１３ｃ  排出口
１３ｂ  空間
１４Ａ，１４Ｂ  ガイド
１５  操作部
１６  メッセージ表示部
１７Ａ  誤差しセンサ
１７Ｂ  誤差し／給紙センサ
１７Ｃ  媒体停止センサ
１７Ｄ  排出終了センサ
２０  制御部
２１  媒体向き判別部
２２  画像データ記憶部
２３  ＬＣＤパネル駆動部
２４  バックライト点灯部
２５  パルス電源部
３１  媒体ストッカ
３２  排出部
３３  ベルト
３４  駆動ローラ
３５  従動ローラ
３６Ａ，３６Ｂ  スプリング
３７Ａ，３７Ｂ  押圧ローラ
３８  搬送ローラ
７０Ａ〜７０Ｄ  搬送ローラ
７１Ａ，７１Ｂ  ストッパ
８０  押圧板
８１  電磁ソレノイド
８２  端子取付部
８３Ａ，８３Ｂ  給電端子
８４  フォーク部
８５  接点部
８６ａ  ローラ
８６ｂ  アーム
９０  バックライト
９１  ＬＣＤパネル
９１ａ  光出射面
９２  パターン光
９３  照明光
９４  表示光
１００  表示記録媒体
１００ａ  表面
ｌ００ｂ  裏面
１１０  画像表示記録領域
１２０Ａ，１２０Ｂ  挿入方向識別帯
１４０Ａ，１４０Ｂ  基板
１４１Ａ，１４１Ｂ  透明電極
１４２  表示層
１４３  隔離層
１４４  光導電層
１４４ａ  電荷発生層
１４４ｂ  電荷輸送層
１４５  光吸収層
１４６ａ，１４６ｂ  開口
１４７  延在部
１４８Ａ，１４８Ｂ  受電部
Ｘ  搬送方向
Ｙ  搬送方向に垂直な方向
【図１】
0004649882.tif 000002
【図２】
0004649882.tif 000003
【図３】
0004649882.tif 000004
【図４】
0004649882.tif 000005
【図５】
0004649882.tif 000006
【図６】
0004649882.tif 000007
【図７】
0004649882.tif 000008
【図８】
0004649882.tif 000009
【図９】
0004649882.tif 000010
【図１０】
0004649882.tif 000011
【図１１】
0004649882.tif 000012